(57)【要約】【課題】ベースバンド処理後の送信信号を各セクタの送信装置に伝送する伝送量を低減すること。【解決手段】ＢＢ部２０２−１〜２０２−ｎは、キャリア受信部１０４−１及び１０４−２それぞれが収容する２つの送信キャリアの全６セクタ毎に下りベースバンド信号を多重してＢＢＭＵＸ部２０３−１及び２０３−２に出力する。ＢＢＭＵＸ部２０３−１〜２０３−２は、ＢＢ部２０２−１〜２０２−ｎから出力された下りベースバンド信号を、当該キャリア受信部が収容する２つの送信キャリアの全６セクタについて、各送信キャリアのセクタ毎に多重して各送信キャリアのセクタ毎のディジタル送信信号を生成し、ＴＸ部１０７−１１〜６１にそれぞれ対応するセクタのディジタル送信信号を出力する。【選択図】      図２
2004159141.tif 000002
【特許請求の範囲】
【請求項１】
複数のチャネルの送信信号をセクタ別に合成するベースバンド処理手段と、セクタ単位で送信信号をベースバンド周波数から無線周波数に変換して送信する送信手段とを具備し、前記ベースバンド処理手段は、ベースバンド信号をセクタ別に対応する送信手段に１対１で出力することを特徴とする基地局装置。
【請求項２】
前記ベースバンド処理手段は、変調した送信信号を送信するセクタ単位で分割多重して出力する複数の出力手段と、前記複数の出力手段から出力された複数の送信信号を同じセクタ毎に合成する合成手段と、合成した送信信号を送信するセクタ単位で分離してセクタ別に対応する送信手段に出力する分離手段と、を具備することを特徴とする請求項１に記載の基地局装置。
【請求項３】
前記出力手段は、送信信号をセクタ別に時分割多重して前記合成手段にシリアル信号として出力することを特徴とする請求項２に記載の基地局装置。
【請求項４】
前記ベースバンド処理手段は、送信信号の誤りを検出する誤り検出手段を具備し、前記出力手段は、セクタ単位で時分割多重した送信信号に誤り補正情報を付加して出力し、前記誤り検出手段は、前記誤り補正情報を用いて送信信号の誤りを検出し、合成手段は、同じセクタで送信する送信信号のうち誤りが検出されない送信信号のみを合成することを特徴とする請求項２または請求項３に記載の基地局装置。
【請求項５】
前記ベースバンド処理手段から出力された送信信号の同期を検出する同期検出手段を具備し、前記出力手段は、セクタ単位で時分割多重した送信信号に同期基準信号を付加して出力し、前記同期検出手段は、前記同期基準信号を用いて送信信号の同期がとれているか否か検出し、合成手段は、同じセクタで送信する送信信号のうち同期がとれている送信信号のみを合成することを特徴とする請求項２または請求項３に記載の基地局装置。
【請求項６】
前記ベースバンド処理手段を複数具備し、前記ベースバンド処理手段が実装かつ正常動作していることを検出する検出手段と、前記検出手段の検出結果に基づき実装かつ正常動作しているベースバンド処理手段から出力された送信信号を送信する選択手段と、を具備することを特徴とする請求項１から請求項５のいずれかに記載の基地局装置。
【請求項７】
前記ベースバンド処理手段は、送信信号を逆拡散することを特徴とする請求項１から請求項６のいずれかに記載の基地局装置。
【請求項８】
複数のチャネルの送信信号をセクタ別に合成し、ベースバンド信号をセクタ別に対応する送信手段に１対１で伝送し、セクタ単位で送信信号をベースバンド周波数から無線周波数に変換して送信することを特徴とする信号処理方法。
【発明の詳細な説明】
【０００１】
【発明の属する技術分野】
本発明は、基地局装置及び信号処理方法に関し、特に移動体通信システムにおいて、ＣＤＭＡ（Ｃｏｄｅ  Ｄｉｖｉｓｉｏｎ  Ｍｕｌｔｉｐｌｅ  Ａｃｃｅｓｓ）方式、Ｗ−ＣＤＭＡ（Ｗｉｄｅ  ｂａｎｄ−Ｃｏｄｅ  Ｄｉｖｉｓｉｏｎ  Ｍｕｌｔｉｐｌｅ  Ａｃｃｅｓｓ）方式等を用いた通信に用いて好適な基地局装置及び信号処理方法に関する。
【０００２】
【従来の技術】
従来、移動体通信システムにおいて、伝送情報に拡散コードを掛け合わせてフレーム単位で伝送し、受信側で同一の拡散コードを受信信号に掛け合わせることによって元の伝送情報を取り出すＣＤＭＡ（Ｃｏｄｅ  Ｄｉｖｉｓｉｏｎ  Ｍｕｌｔｉｐｌｅ  Ａｃｃｅｓｓ）方式や、異なる複数の周波数のキャリアを収容するＷ−ＣＤＭＡ（Ｗｉｄｅ  ｂａｎｄ−Ｃｏｄｅ  Ｄｉｖｉｓｉｏｎ  Ｍｕｌｔｉｐｌｅ  Ａｃｃｅｓｓ）方式等を用いた通信に用いた基地局装置がある（例えば特許文献１）。
【０００３】
図１０は、従来の基地局装置の構成を示すブロック図である。この図１０に示す従来の基地局装置１０は、４つの受信キャリアを収容する６セクタ構成の場合であって、２個のキャリア受信部からなり、各キャリア受信部は、２つの受信キャリアを収容する構成の場合の例である。
【０００４】
図１０において、基地局装置１０は、セクタ毎に２本設けられたダイバーシチ受信を行う各組の第１、第２…、第６アンテナ１１−１及び１２−１、１１−２及び１２−２、…、１１−６及び１２−６と、このアンテナ１１−１及び１２−１〜１１−６及び１２−６に接続された第１〜第６共通ＡＭＰ部１３−１〜１３−６と、第１〜第６ＲＦ分配部１４−１〜１４−６と、第１及び第２キャリア受信部１５−１及び１５−２と、第１〜第６ＴＸ部１６−１〜１６−６と、第１〜第ｎＣＨＣ部１７−１〜１７−ｎと、ＨＷＹＩＮＴ部１８と、ＣＮＴ部１９と、制御バス２０と、ＲＢＣバス２１と、ＦＬバス２２と、ＨＷＹバス２３とから主に構成される。
【０００５】
また、第１キャリア受信部１５−１は、第１〜第３ＲＸ部２４−１〜２４−３と、ＲＬバス２５と、第１〜第ｎＢＢ部２６−１〜２６−ｎとから主に構成される。第２キャリア受信部１５−２は、第１〜第３ＲＸ部２７−１〜２７−３と、ＲＬバス２８と、第１〜第ｎＢＢ部２９−１〜２９−ｎとから主に構成される。
【０００６】
第１共通ＡＭＰ部１３−１は、アンテナ１１−１及び１２−１で受信したＲＦ受信信号を個々に増幅して第１ＲＦ分配部１４−１に出力する。同様に、第２〜第６共通ＡＭＰ部１３−２〜１３−６は、アンテナ１１−２及び１２−２、…、１１−６及び１２−６で受信したＲＦ受信信号を個々に増幅して第２〜第６ＲＦ分配部１４−２〜１４−６に出力する。
【０００７】
第１ＲＦ分配部１４−１は、アンテナ１１−１及び１２−１で受信して第１共通ＡＭＰ部１３−１で増幅された２つのＲＦ受信信号を二分配し、分配された一方のＲＦ受信信号をＲＸ部２４−１に出力し、他方のＲＦ受信信号をＲＸ部２７−１に出力する。
【０００８】
同様に、第２〜第６ＲＦ分配部１４−２〜１４−６は、アンテナ１１−２及び１２−２〜アンテナ１１−６及び１２−６で受信して第１共通ＡＭＰ部１３−２〜１３−６で増幅された２つのＲＦ受信信号を二分配し、分配された一方のＲＦ受信信号をＲＸ部２４−２〜２４−６に出力し、他方のＲＦ受信信号をＲＸ部２７−２〜２７−６に出力する。
【０００９】
ここで、第１及び第２キャリア受信部１５−１及び１５−２は、４つの受信キャリアを２つずつにグループ化し、グループ化された２つの受信キャリア毎に割り当てられたＲＸ部２４−１〜２４−３及びＲＸ部２７−１〜２７−３、及びＲＬバス２５及びＲＬバス２８を分かり易く区分けしたものである。
【００１０】
すなわち、基地局装置１０が収容する４つの受信キャリアを、第１受信キャリアグループ及び第２受信キャリアグループとし、この第１受信キャリアグループに割り当てられたＲＸ部２４−１〜２４−３、ＲＬバス２５及びＢＢ部２６−１〜２６−ｎをグループ化することを示すと共に、第２受信キャリアグループに割り当てられたＲＸ部２７−１〜２７−３、ＲＬバス２８及びＢＢ部２９−１〜２９−ｎをグループ化することを示す。
【００１１】
ＲＸ部２４−１〜２４−３は、２受信キャリアの２セクタに対する受信機能を備え、２受信キャリアのダイバーシチ受信双方のＲＦ受信信号を、それぞれディジタル受信信号に変換してＲＬバス２５に出力する。同様に、ＲＸ部２７−１〜２７−３は、２受信キャリアの２セクタに対する受信機能を備え、２受信キャリアのダイバーシチ受信双方のＲＦ受信信号を、それぞれディジタル受信信号に変換してＲＬバス２８に出力する。
【００１２】
ＲＬバス２５は、各ＲＸ部２４−１〜２４−３からのディジタル受信信号を集線し、全ＢＢ部２６−１〜２６−ｎに同報する。同様に、ＲＬバス２８は、各ＲＸ部２７−１〜２７−３からのディジタル受信信号を集線し、全ＢＢ部２６−１〜２６−ｎに同報する。すなわち、図示せぬ通信相手の移動局装置から基地局装置１０に向かう上り信号を集線する。
【００１３】
各ＢＢ部２６−１〜２６−ｎは、同期機能、ＲＡＫＥ受信復調機能、並びに送信電力制御機能を有する。そして、ＢＢ部２６−１〜２６−ｎは、同期機能、ＲＡＫＥ受信復調機能により、１受信キャリア上の上り無線チャネルの信号を上りベースバンド信号に変換してＲＢＣバス２１に出力する。またＢＢ部２６−１〜２６−ｎは、送信電力制御機能により、送信電力情報をＦＬバス２２に出力する。
【００１４】
同様に、各ＢＢ部２９−１〜２９−ｎは、同期機能、ＲＡＫＥ受信復調機能、並びに送信電力制御機能を有する。そして、ＢＢ部２９−１〜２９−ｎは、同期機能、ＲＡＫＥ受信復調機能により、１受信キャリア上の上り無線チャネルの信号を上りベースバンド信号に変換してＲＢＣバス２１に出力する。またＢＢ部２９−１〜２９−ｎは、送信電力制御機能により、送信電力情報をＦＬバス２２に出力する。
【００１５】
ＲＢＣバス２１は、全ＢＢ部２６−１〜２６−ｎ及びＢＢ部２９−１〜２９−ｎと、全ＣＨＣ部１７−１〜１７−ｎとの間で、上りベースバンド信号と無線チャネル状態情報をやりとりするために用いられる。ＦＬバス２２は、各ＢＢ部２６−１〜２６−ｎ及びＢＢ部２９−１〜２９−ｎからの送信電力情報と、ＣＨＣ部１７−１〜１７−ｎからの下りベースバンド信号を、全ＴＸ部１６−１〜１６−６へ同報伝達する。
【００１６】
ＣＨＣ部１７−１〜１７−ｎは、チャネルコーディング機能／チャネルデコーディング機能と、無線チャネル状態計測機能を有する。そして、ＣＨＣ部１７−１〜１７−ｎは、チャネルコーディング機能／チャネルデコーディング機能によって、下り方向／上り方向のそれぞれでベースバンド信号と主信号の変換を行う。また、ＣＨＣ部１７−１〜１７−ｎは、無線チャネル状態計測機能によって、ＲＢＣバス２１を介してＢＢ部２６−１〜２６−ｎ及びＢＢ部２９−１〜２９−ｎの送信電力機能で活用される無線チャネル状態情報を伝達する。
【００１７】
ＣＮＴ部１９は、制御バス２０を介して、呼制御やハンドオフ制御に伴う装置内各部のリソース割当て及び解放の制御や、装置内各部の動作状態の監視及び制御を司る。
【００１８】
第１共通ＡＭＰ部１３−１は、第１ＴＸ部１６−１から出力されたＲＦ送信信号を増幅してアンテナ１１−１及び１２−１からダイバーシチ送信する。同様に、第２〜第６共通ＡＭＰ部１３−２〜１３−６は、第２〜第６ＴＸ部１６−２〜１６−６から出力されたＲＦ送信信号を増幅してアンテナ１１−２及び１２−２、…、１１−６及び１２−６からダイバーシチ送信する。
【００１９】
次に、上記構成の基地局装置１０の動作を説明する。
【００２０】
上り方向において、アンテナ１１−１及び１２−１〜１１−６及び１２−６から同時に受信される複数キャリアのＲＦ受信信号は、共通ＡＭＰ部１３−１〜１３−６で共通受信増幅された後、ＲＦ分配部１４−１〜１４−６によって、第１キャリア受信部１５−１のＲＸ部２４−１〜２４−３と、第２キャリア受信部１５−２のＲＸ部２７−１〜２７−３へ分配される。
【００２１】
ＲＸ部２４−１〜２４−３は、予め第１受信キャリア及び第３受信キャリアのみを処理するようにＣＮＴ部１９により設定されており、ＲＸ部２７−１〜２７−３は、予め、第２受信キャリア及び第４受信キャリアのみを処理するようにＣＮＴ部１９により設定されている。
【００２２】
第１受信キャリアおよび第３受信キャリアのＲＦ受信信号は、ＲＸ部２４−１〜２４−６の受信機能により、ダイバーシチ受信毎に、ディジタル受信信号に変換され、ＲＬバス２５に送出される。
【００２３】
ＢＢ部２６−１〜２６−ｎは、ＲＬバス２５上を流れている全てのセクタ、並びにダイバーシチ受信双方のディジタル受信信号を入力し、同期機能とＲＡＫＥ受信復調機能によって、上り無線チャネル毎に上りベースバンド信号を再生してＲＢＣバス２１へ出力する。
【００２４】
また、ＢＢ部２６−１〜２６−ｎは、送信電力制御機能により、当該無線チャネルの下り送信電力情報をＦＬバス２２へ出力する。
【００２５】
ＣＨＣ部１７−１〜１７−ｎは、ＲＢＣバス２１から当該無線チャネルの上りベースバンド信号を取り出し、チャネルデコーディング機能によって、上り主信号に変換し、ＨＷＹバス２３へ送出する。
【００２６】
また、ＣＨＣ部１７−１〜１７−ｎの無線チャネル状態測定機能は、チャネルデコーディングの過程で得られる無線チャネル状態情報を、当該上り無線チャネルを収容するのＢＢ部２６−１〜２６−ｎ及びＢＢ部２９−１〜２９−ｎにＲＢＣバス２１を経由して伝達する。ＨＷＹバス２３に出力された主信号は、ＨＷＹＩＮＴ部１８が伝送路に中継送信する。
【００２７】
この上り方向の動作において、第２受信キャリア及び第４受信キャリアのＲＦ受信信号は、ＲＸ部２７−１〜２７−６、ＲＬバス２８並びにＢＢ部２９−１〜２９−ｎを経由するが、共通のＲＢＣバス２１とＦＬバス２２を経由してＣＨＣ部１７−１〜１７−ｎに接続される。
【００２８】
よって、ＣＨＣ部１７−１〜１７−ｎは、第１受信キャリア及び第３受信キャリアの無線チャネルの上りベースンバンド信号と、第２受信キャリアおよび第４受信キャリアの無線チャネルの上りベースンバンド信号の双方に共通のリソースとなる。
【００２９】
下り方向においては、伝送路よりＨＷＹＩＮＴ部１８とＨＷＹバス２３を経由して受信した下り主信号は、ＣＨＣ部１７−１〜１７−ｎのチャネルコーディング機能によるチャネルコーディング処理により、下りベースバンド信号に変換され、ＦＬバス２２へ出力される。
【００３０】
また、当該無線チャネルの処理を行う第１キャリア受信部１５−１及び第２キャリア受信部１５−２の送信電力制御機能によって、当該下り無線チャネルの送信電力情報がＦＬバス２２へ出力される。
【００３１】
ＦＬバス２２上の下りベースバンド信号と送信電力情報は、全セクタのＴＸ部１６−１〜１６−６に同報されため、送信キャリアの区別なく、当該下り無線チャネルを収容する１ないし複数のセクタのＴＸ部１６−１〜１６−６は、送信変調機能により、下りベースバンド信号をＲＦ送信信号に変換し、送信電力情報によって送信レベルを調整した後、送信キャリア毎に、全ての無線チャネルのＲＦ送信信号を重ね合わせ、更に複数キャリアを合波後、共通ＡＭＰ部１３−１〜１３−６へ伝達する。
【００３２】
第１〜第６共通ＡＭＰ部１３−１〜１３−６は、ＲＦ送信信号を共通増幅して、アンテナ１１−１及び１２−１〜１１−６及び１２−６から無線信号として送信する。
【００３３】
このように、基地局装置１０によれば、第１キャリア受信部１５−１及び第２キャリア受信部１５−２のＢＢ部２６−１〜２６−ｎ及びＢＢ部２９−１〜２９−ｎとＣＨＣ部１７−１〜１７−ｎの間でやりとりされる上りベースバンド信号と無線チャネル状態情報は、すべて共通のＲＢＣバス２１によって伝達される。また、ＣＨＣ部１７−１〜１７−ｎ及び第１キャリア受信部１５−１及び第２キャリア受信部１５−２のＢＢ部２６−１〜２６−ｎ及び２９−１〜２９−ｎがＴＸ部１６−１〜１６−６に送信する上りベースバンド信号と送信電力情報は、すべて共通のＦＬバスによって伝達される。
【００３４】
しかしながら、従来の装置においては、全下りベースバンド信号と全送信電力情報がＦＬバスを介してＢＢ部２６−１〜２６−ｎ及び２９−１〜２９−ｎとＣＨＣ部１７−１〜１７−ｎとＴＸ部１６−１〜１６−６の間で伝達されていたが、無線チャネル数を増加させる際にはＦＬバスの信号転送能力を上げる必要性があり、さらに、圧縮モード時の下り無線チャネルのシンボルレート倍加を実現する上では、さらなる信号転送能力の向上が必要であり、ＲＢＣバスと同様、高速で多数のディジタル信号をバス形式で配線するための装置化技術を困難にするという問題がある。
【００３５】
【特許文献１】
特開２００１−１６１８４号公報
【発明が解決しようとする課題】
このように、従来の装置においては、ベースバンド処理後の送信信号を各セクタの送信装置に伝送する伝送量が増大するという問題がある。
【００３６】
本発明はかかる点に鑑みてなされたものであり、ベースバンド処理後の送信信号を各セクタの送信装置に伝送する伝送量を低減する基地局装置及び信号処理方法を提供することを目的とする。
【００３７】
【課題を解決するための手段】
本発明の基地局装置は、複数のチャネルの送信信号をセクタ別に合成するベースバンド処理手段と、セクタ単位で送信信号をベースバンド周波数から無線周波数に変換して送信する送信手段とを具備し、前記ベースバンド処理手段は、ベースバンド信号をセクタ別に対応する送信手段に１対１で出力する構成を採る。
【００３８】
本発明の基地局装置は、前記ベースバンド処理手段は、変調した送信信号を送信するセクタ単位で分割多重して出力する複数の出力手段と、前記複数の出力手段から出力された複数の送信信号を同じセクタ毎に合成する合成手段と、合成した送信信号を送信するセクタ単位で分離してセクタ別に対応する送信手段に出力する分離手段と、を具備する構成を採る。
【００３９】
これらの構成によれば、ベースバンド信号をセクタ別に多重化してセクタ別の送信装置に伝送することにより、伝送する信号を各セクタの送信装置別に１対１で伝送することができ、各信号線の伝送量を低減することができる。
【００４０】
本発明の基地局装置は、前記出力手段は、送信信号をセクタ別に時分割多重して前記合成手段にシリアル信号として出力する構成を採る。
【００４１】
この構成によれば、基地局装置の配線数を低減することができる。
【００４２】
本発明の基地局装置は、前記ベースバンド処理手段は、送信信号の誤りを検出する誤り検出手段を具備し、前記出力手段は、セクタ単位で時分割多重した送信信号に誤り補正情報を付加して出力し、前記誤り検出手段は、前記誤り補正情報を用いて送信信号の誤りを検出し、合成手段は、同じセクタで送信する送信信号のうち誤りが検出されない送信信号のみを合成する構成を採る。
【００４３】
この構成によれば、多重化するベースバンド信号に誤りが発生した場合に、誤りが発生した信号を多重化しないので、誤りが発生した信号により、複数の送信装置全体の伝送ができなくなることを防ぐことができる。
【００４４】
本発明の基地局装置は、前記ベースバンド処理手段から出力された送信信号の同期を検出する同期検出手段を具備し、前記出力手段は、セクタ単位で時分割多重した送信信号に同期基準信号を付加して出力し、前記同期検出手段は、前記同期基準信号を用いて送信信号の同期がとれているか否か検出し、合成手段は、同じセクタで送信する送信信号のうち同期がとれている送信信号のみを合成する構成を採る。
【００４５】
この構成によれば、同期がとれている信号のみを伝送することにより、多重化する信号の同期が外れた信号により、複数の送信装置全体の伝送ができなくなることを防ぐことができる。
【００４６】
本発明の基地局装置は、前記ベースバンド処理手段を複数具備し、前記ベースバンド処理手段が実装かつ正常動作していることを検出する検出手段と、前記検出手段の検出結果に基づき実装かつ正常動作しているベースバンド処理手段から出力された送信信号を送信する選択手段と、を具備する構成を採る。
【００４７】
この構成によれば、ベースバンド処理を冗長な構成とすることができ、装置の構成変更及び故障時も連続して動作することができる。
【００４８】
本発明の基地局装置は、前記ベースバンド処理手段は、送信信号を逆拡散する構成を採る。
【００４９】
この構成によれば、符号分割多重方式に適用できる。
【００５０】
本発明の信号処理方法は、複数のチャネルの送信信号をセクタ別に合成し、ベースバンド信号をセクタ別に対応する送信手段に１対１で伝送し、セクタ単位で送信信号をベースバンド周波数から無線周波数に変換して送信するようにした。
【００５１】
この方法によれば、ベースバンド信号をセクタ別に多重化してセクタ別の送信装置に伝送することにより、伝送する信号を各セクタの送信装置別に１対１で伝送することができ、各信号線の伝送量を低減することができる。
【００５２】
【発明の実施の形態】
本発明者は、複数のチャネルの信号を複数のセクタのいずれかに送信する基地局装置において、ベースバンド処理後の送信信号をチャネル単位で各セクタの送信装置に伝送する場合、各セクタの送信装置は複数のチャネルの信号を受け取る必要があり、チャネル数を増加した場合、伝送量が増大してしまう点に着目し、本発明をするに至った。
【００５３】
すなわち、本発明の骨子は、ベースバンド信号をセクタ別に多重化してセクタ別の送信装置に伝送することにより、伝送する信号を各セクタの送信装置別に分離してＰｏｉｎｔ  ｔｏ  Ｐｏｉｎｔで接続して、各信号線の伝送量を低減することである。
【００５４】
以下、本発明の実施の形態について図面を参照して詳細に説明する。
【００５５】
（一実施の形態）
図１は、本発明の一実施の形態に係る基地局装置の構成を示すブロック図である。この図１に示す本発明の一実施形態の基地局装置１００は、４つの受信キャリアと４つの送信キャリアを収容する６セクタ構成の例を用いて説明する。
【００５６】
図１において、基地局装置１００は、セクタ毎に２本設けられたダイバーシチ受信を行う各組のアンテナ１０１−１２〜１０１−６２と、このアンテナ１０１−１２〜１０１−６２に接続された共通ＡＭＰ部１０２−１〜１０２−６と、ＲＦ分配部１０３−１〜１０３−６と、キャリア受信部１０４−１及び１０４−２と、ＨＷＹＩＮＴ部１０５と、ＣＮＴ部１０６と、ＴＸ部１０７−１１〜１０７−６２と、ＲＦ合成部１０８−１〜１０８−６とから主に構成される。
【００５７】
キャリア受信部１０４−１及び１０４−２と、ＨＷＹＩＮＴ部１０５とは、ＨＷＹバス１１０で接続されている。また、キャリア受信部１０４−１及び１０４−２と、ＨＷＹＩＮＴ部１０５と、ＣＮＴ部１０６と、ＴＸ部１０７−１１〜１０７−６２とは制御バス１１１で接続されている。
【００５８】
共通ＡＭＰ部１０２−１は、アンテナ１０１−１１及びアンテナ１０１−１２でダイバーシチ受信される複数キャリアのＲＦ受信信号を個々に増幅してＲＦ分配部１０３−１に出力する。同様に共通ＡＭＰ部１０２−２〜１０２−６は、アンテナ１０１−２１〜アンテナ１０１−６２でダイバーシチ受信される複数キャリアのＲＦ受信信号をそれぞれ個々に増幅してＲＦ分配部１０３−２〜１０３−６に出力する。
【００５９】
また、共通ＡＭＰ部１０２−１は、ＲＦ合成部１０８−１から出力された複数キャリアのＲＦ送信信号を増幅してアンテナ１０１−１１及び１０１−１２から所定の指向性で送信する。同様に共通ＡＭＰ部１０２−２〜１０２−６は、ＲＦ合成部１０８−２〜１０８−６から出力された複数キャリアのＲＦ送信信号を増幅してアンテナ１０１−２１〜１０１−６２から所定の指向性で送信する。
【００６０】
ＲＦ分配部１０３−１は、アンテナ１０１−１１及びアンテナ１０１−１２で受信したＲＦ受信信号を各々２分配してキャリア受信部１０４−１及び１０４−２に出力する。同様に、ＲＦ分配部１０３−２〜１０３−６は、アンテナ１０１−２１〜アンテナ１０１−６２で受信したＲＦ受信信号を各々２分配してキャリア受信部１０４−１及び１０４−２に出力する。
【００６１】
キャリア受信部１０４−１は、ＲＦ受信信号を周波数変換等の処理を行い、ベースバンド信号として出力し、送信するベースバンド信号を無線周波数に変換等の処理を行いＲＦ送信信号として出力する。
【００６２】
以下、キャリア受信部１０４−１の詳細について説明する。ここでは、基地局装置１００は、２個のキャリア受信部からなり、キャリア受信部１０４−１が各キャリア受信部は、２つの受信キャリアと２つの送信キャリアを収容する構成の場合の例を説明する。図２は、本実施の形態の基地局装置のキャリア受信部の内部構成を示すブロック図である。
【００６３】
図２において、キャリア受信部１０４−１は、ＲＸ部２０１−１〜２０１−３と、ＢＢ部２０２−１〜２０２−ｎと、２重化されたＢＢＭＵＸ部２０３−１及び２０３−２とから主に構成されている。また、キャリア受信部１０４−２は、キャリア受信部１０４−１と同様の構成を採る。
【００６４】
キャリア受信部１０４−１及び１０４−２は、４つの受信キャリアと４つの送信キャリアを２つずつにグループ化し、グループ化された２つの受信キャリアと送信キャリア毎に割り当てられたＲＸ部２０１−１〜２０１−３と、ＢＢＭＵＸ部２０３−１及び２０３−２を分かり易く区分けしたものである。
【００６５】
即ち、本発明の基地局装置１００が収容する４つの受信キャリアと送信キャリアを、第１受信キャリア・送信キャリアグループ、及び、第２受信キャリア・送信キャリアグループとしてグループ化することを示すものである。
【００６６】
ＲＸ部２０１−１〜２０１−３は、各々、２つの受信キャリアの２つのセクタに対する受信機能を備え、２受信キャリアのダイバーシチ受信双方のＲＦ受信信号を、それぞれディジタル受信信号に変換してＢＢ部２０２−１〜２０２−ｎに出力する。
【００６７】
ＲＸ部２０１−１〜２０１−３からのディジタル受信信号は集線され、ＢＢ部２０２−１〜２０２−ｎに同報される。即ち、図示せぬ通信相手の移動局装置から基地局装置１００へ向かう上り信号を集線する。
【００６８】
ＢＢ部２０２−１〜２０２−ｎは、同期機能、ＲＡＫＥ受信復調機能、並びに、逆拡散機能を有し、ディジタル受信信号から上り無線チャネル毎に上りベースバンド信号を抽出し、上り無線チャネルの品質計測に基づく上り送信電力制御情報を得る。また、ＢＢ部２０２−１〜２０２−ｎは、チャネルデコーディング機能によって、デインターリーブ処理と誤り検出及び訂正復号処理を加え、上りベースバンド信号から上り主信号への変換を行い、上りベースバンド信号に含まれる下り送信電力制御情報を抽出する。
【００６９】
さらに、ＢＢ部２０２−１〜２０２−ｎは、チャネルコーディング機能と拡散機能、及び、送信電力制御機能を有し、チャネルコーディング機能によって下り主信号と上り送信電力制御情報を下りシンボル系列に変換し、拡散機能によって、下り無線チャネル毎に下りシンボル系列を拡散符号によって拡散し、さらには、送信電力制御機能によって下り無線チャネル毎に送信レベルを調整して下りベースバンド信号を生成する。
【００７０】
さらに、ＢＢ部２０２−１〜２０２−ｎは、キャリア受信部１０４−１及び１０４−２それぞれが収容する２つの送信キャリアの全６セクタ毎に下りベースバンド信号を多重してＢＢＭＵＸ部２０３−１及び２０３−２に出力する。
【００７１】
ＢＢＭＵＸ部２０３−１〜２０３−２は、ＢＢ部２０２−１〜２０２−ｎから出力された下りベースバンド信号を、当該キャリア受信部が収容する２つの送信キャリアの全６セクタについて、各送信キャリアのセクタ毎に多重して各送信キャリアのセクタ毎のディジタル送信信号を生成し、ＴＸ部１０７−１１〜１０７−６１にそれぞれ対応するセクタのディジタル送信信号を出力する。
【００７２】
また、ＢＢＭＵＸ部２０３−１及び２０３−２は、冗長構成の１方法である二重構成をなすものであり、ＢＢ部２０２−１〜２０２−ｎから同時に同じ下りベースバンド信号を受信し、同時に同じディジタル送信信号をＴＸ部１０７−１１〜１０７−６１に出力する。
【００７３】
ＴＸ部１０７−１１〜１０７−６２は、ＢＢＭＵＸ部２０３−１〜２０３−２から出力された送信を担当するセクタのディジタル送信信号を受信し、各送信キャリアのセクタ毎にＲＦ送信信号を変調する。ＴＸ部１０７−１１及びＴＸ１０７−２１は、２つの送信キャリアのＲＦ送信信号を合波したＲＦ送信信号をＲＦ合成部１０８−１に出力する。同様に、ＴＸ部１０７−２１〜１０７−６２は、２つの送信キャリアのＲＦ送信信号を合波したＲＦ送信信号をそれぞれＲＦ合成部１０８−２〜１０８−６に伝達する。
【００７４】
ＴＸ部１０７−１１、１０７−２１、１０７−３１、１０７−４１、１０７−５１、及び１０７−６１は、キャリア受信部１０４−１のＢＢＭＵＸ部２０３−１及び２０３−２の双方にそれぞれ接続されており、ＢＢＭＵＸ部２０３−１及び２０３−２のどちらか一方からのディジタル送信信号を選択する機能を有する。同じく、各ＴＸ部１０７−１２、１０７−２２、１０７−３２、１０７−４２、１０７−５２、及び１０７−６２は、キャリア受信部１０４−２のＢＢＭＵＸ部２０３−１と２０３−２にそれぞれ接続されており、ＢＢＭＵＸ部２０３−１及び２０３−２のどちらか一方からのディジタル送信信号を選択する機能を有する。
【００７５】
ＲＦ合成部１０８−１は、ＴＸ部１０７−１１から出力されたＲＦ送信信号とＴＸ部１０７−１２から出力されたＲＦ送信信号とを合成して共通ＡＭＰ部１０２−１に出力する。同様に、ＲＦ合成部１０８−２〜１０８−６は、ＴＸ部１０７−２１、１０７−３１、１０７−４１、１０７−５１、及び１０７−６１から出力されたＲＦ送信信号とＴＸ部１０７−１２、１０７−３２、１０７−４２、１０７−５２、及び１０７−６２から出力されたＲＦ送信信号とをそれぞれ合成して共通ＡＭＰ部１０２−２〜１０２−６に出力する。
【００７６】
ＨＷＹＩＮＴ部１０７は、上り及び下り主信号を伝送路とキャリア受信部１０４−１及び１０４−２内のＢＢ部２０２−１〜２０２−ｎとの間でＨＷＹバス１１０を用いて中継すると同時に、伝送路を経由してやりとりされる呼制御情報や運用管理情報をＣＮＴ部１０８に中継する機能を有する。
【００７７】
ＣＮＴ部１０８は、制御バス１１１を介して、呼制御やハンドオフ制御に伴う装置内各部のリソース割当て及び解放の制御や、装置内各部の動作状態の監視及び制御を司る。
【００７８】
次に、このような構成の基地局装置１００の動作を説明する。上り方向の通信において、アンテナ１０１−１２〜１０１−６２から同時に受信される複数キャリアのＲＦ受信信号は、共通ＡＭＰ部１０２−１〜１０２−６で共通受信増幅された後、ＲＦ分配部１０３−１〜１０３−６によって、キャリア受信部１０４−１及び１０４−２内のＲＸ部２０１−１〜２０１−３に分配される。
【００７９】
キャリア受信部１０４−１のＲＸ部２０１−１〜２０１−３とキャリア受信部１０４−１のＲＸ部２０１−１〜２０１−３とは、予め、異なる複数の受信キャリアをそれぞれ処理するようにＣＮＴ部１０６により設定されている。
【００８０】
ＲＦ受信信号は、ＲＸ部２０１−１〜２０１−３の受信機能により、ダイバーシチ受信毎に、処理を担当するキャリアのＲＦ受信信号のみ選択処理されてディジタル受信信号に変換され、キャリア受信部１０４−１のＢＢ部２０２−１〜２０２−ｎに、同じディジタル受信信号を同時にポイントツーポイントでシリアル伝送される。
【００８１】
そして、このディジタル受信信号は、ＢＢ部２０２−１〜２０２−ｎにおいて、同期、ＲＡＫＥ受信復調、及び逆拡散され、上り無線チャネル毎の上りベースバンド信号に再生される。
【００８２】
また、ＢＢ部２０２−１〜２０２−ｎは、チャネルデコーディング機能によって、デインターリーブ処理と誤り検出及び訂正復号処理を加え、再生した上りベースバンド信号を上り主信号に変換すると同時に、その過程において、上り無線チャネルの品質計測に基づく上り送信電力制御情報を得る。更に上りベースバンド信号に含まれる下り送信電力制御情報を抽出する。上り主信号は、ＨＷＹバス１１０に送出する。ＨＷＹバス１１０に出力された主信号は、ＨＷＹＩＮＴ部１０５が伝送路に中継送信される。
【００８３】
次に下り方向の通信の動作について説明する。下り方向の通信においては、伝送路よりＨＷＹＩＮＴ部１０５とＨＷＹバス１１０を経由して、下り主信号が、対応する上り無線チャネルを処理するキャリア受信部１０４−１及び１０４−２のＢＢ部２０２−１〜２０２−ｎに配送され、チャネルコーディング機能によるチャネルコーディング処理により、下り主信号と上り送信電力制御情報を下りシンボル系列に変換し、拡散機能によって、下り無線チャネル毎に下りシンボル系列を拡散符号によって拡散し、送信電力制御機能によって下り無線チャネル毎に送信レベルを調整して下りベースバンド信号が生成される。
【００８４】
この無線チャネル毎の下りベースバンド信号は、さらに、ＢＢ部２０２−１〜２０２−ｎによって、それらを運ぶ送信キャリアの全６セクタ毎に多重される。
【００８５】
各送信キャリアのセクタ毎に下り無線チャネルが多重化された下りベースバンド信号は、ＢＢ部２０２−１〜２０２−ｎからＢＢＭＵＸ部２０３−１と２０３−２に同時にポイントツーポイントでシリアル伝送される。
【００８６】
下りベースバンド信号は、キャリア受信部１０４−１内のＢＢＭＵＸ部２０３−１〜２０３−２においてセクタ毎に多重化され、各送信キャリアのセクタ毎のディジタル送信信号としてＴＸ部１０７−１１、１０７−２１、１０７−３１、１０７−４１、１０７−５１、及び１０７−６１に出力される。また、下りベースバンド信号は、キャリア受信部１０４−２内のＢＢＭＵＸ部２０３−１〜２０３−２においてセクタ毎に多重化され、各送信キャリアのセクタ毎のディジタル送信信号としてＴＸ部１０７−１２、１０７−２２、１０７−３２、１０７−４２、１０７−５２、及び１０７−６２に出力される。
【００８７】
ディジタル送信信号は、ＴＸ部１０７−１１〜１０７−６２において、送信変調され、送信キャリア毎に重ね合わせて合成され、ＲＦ送信信号としてＲＦ合成部１０８−１〜１０８−６に出力される。
【００８８】
この下り方向の通信の動作において、ＲＦ送信信号は、キャリア受信部１０４−２内のＢＢ部２０２−１〜２０２−ｎ、ＢＢＭＵＸ部２０３−１〜２０３−２と、ＴＸ部１０７−２１、１０７−２２、１０７−３２、１０７−４２、１０７−５２、及び１０７−６２を経由して送信されるが、これらＢＢ部２０２−１〜２０２−ｎ、ＢＢＭＵＸ部２０３−１〜２０３−２と、ＴＸ部１０７−２１、１０７−２２、１０７−３２、１０７−４２、１０７−５２、及び１０７−６２は、共通のＨＷＹバス１１０を経由してＨＷＹＩＮＴ部１０８に接続される。
【００８９】
各ＲＦ送信信号は、それぞれＲＦ合成部１０８−１〜１０８−６で合成された後、４つの送信キャリアのＲＦ送信信号となって、共通ＡＭＰ部１０２−１〜１０２−６に伝達される。
【００９０】
そして、４つの送信キャリアのＲＦ送信信号は、共通ＡＭＰ部１０２−１〜１０２−６において増幅され、アンテナ１０１−１２〜１０１−６２から所定の指向性で電波として送信される。
【００９１】
次に、キャリア受信部１０４−１及び１０４−２からＴＸ部１０７−１１〜１０７−６２にベースバンド信号を送信する動作について詳細に説明する。
【００９２】
図３は、本実施の形態の基地局装置のＢＢ部の内部構成の一例を示す図である。図３において、ＢＢ部２０２−１は、ＢＢ処理部３０１と、マッピング部３０２とから主に構成される。また、ＢＢ部２０２−２〜２０２−ｎも同様の構成を採る。
【００９３】
ＢＢ処理部３０１は、ＲＸ部２０１−１〜２０１−３から出力されたディジタル受信信号を同期、ＲＡＫＥ受信復調、及び逆拡散して上りベースバンド信号を抽出し、上り無線チャネルの品質計測に基づく上り送信電力制御情報を得る。また、ＢＢ処理部３０１は、デインターリーブ、誤り検出及び訂正復号し、上りベースバンド信号に含まれる下り送信電力制御情報を抽出する。
【００９４】
また、ＢＢ処理部３０１は、ＨＷＹバスを介して伝送されたディジタル送信信号をチャネルコーディング機能によるチャネルコーディング処理により、下り主信号と上り送信電力制御情報を下りシンボル系列に変換し、拡散機能によって、下り無線チャネル毎に下りシンボル系列を拡散符号によって拡散し、送信電力制御機能によって下り無線チャネル毎に送信レベルを調整して下りベースバンド信号を生成する。そして、ＢＢ処理部３０１は、生成した下りベースバンド信号をマッピング部３０２に出力する。
【００９５】
マッピング部３０２は、下りベースバンド信号をセクタ単位で多重化し、同期用の信号と誤り検出用の信号（ＥＣＣ）とを付加してＢＢＭＵＸ部２０３−１及び２０３−２に出力する。例えば、マッピング部３０２は、セクタ単位で下りベースバンド信号を時分割多重する。
【００９６】
このように、ＢＢ部２０２−１〜２０２−ｎにおいてセクタ単位で多重化された下りベースバンド信号は、ＢＢＭＵＸ２０３−１及びＢＢＭＵＸ部２０３−２においてセクタ単位で合成される。
【００９７】
図４は、本実施の形態の基地局装置のＢＢＭＵＸ部の内部構成の一例を示すブロック図である、図４において、ＢＢＭＵＸ部２０３−１は、同期検出部４０１と、誤り検出部４０２と、合成部４０３と、分配部４０４とから主に構成される。
【００９８】
同期検出部４０１は、下りベースバンド信号の同期信号を検出し、信号の同期がとれているか否か判定し、下りベースバンド信号と同期判定結果を誤り検出部４０２に出力する。
【００９９】
誤り検出部４０２は、下りベースバンド信号の誤り検出用の信号（ＥＣＣ）を用いてフレーム単位で各セクタの信号の誤りを検出し、下りベースバンド信号と検出結果とを合成部４０３に出力する。
【０１００】
合成部４０３は、同期がとれており、かつ誤りが検出されてないフレームの下りベースバンド信号のみを、同じフレームの同じセクタ同士で合成して分配部４０４に出力する。
【０１０１】
分配部４０４は、ベースバンド信号をセクタ別に分離し、分離したベースバンド信号をそれぞれ担当するセクタのＴＸ部１０７−１１〜１０７−６１に出力する。
【０１０２】
例えば、分配部４０４は、セクタ１の送信を担当するＴＸ部１０７−１１及び１０７−１２にセクタ１のベースバンド信号を出力する。同様に、分配部４０４は、ＴＸ部１０７−２１及び１０７−２２にセクタ２のベースバンド信号を、ＴＸ部１０７−３１及び１０７−３２にセクタ３のベースバンド信号を、ＴＸ部１０７−４１及び１０７−４２にセクタ４のベースバンド信号を、ＴＸ部１０７−５１及び１０７−５２にセクタ５のベースバンド信号を、ＴＸ部１０７−６１及び１０７−６２にセクタ６のベースバンド信号をそれぞれ出力する。
【０１０３】
上記構成により合成するベースバンド信号について説明する。図５は、本実施の形態の基地局装置のベースバンド信号の一例を示す図である。図５において、横軸は時刻を示す。図５では、ＢＢ部２０２−１〜２０２−５が出力するベースバンド信号を示す。
【０１０４】
図５のベースバンド信号は、フレーム単位でセクタ別、キャリア別に時分割で多重化されている。そして、フレームの先頭に同期パタン５０１が付加されている。この同期パタン５０１は、周期的にシリアル伝送される下りベースバンド信号の先頭を示すデータパタンである。ペイロード５０２には、各キャリアの各セクタの下りベースバンド信号が含まれている。
【０１０５】
本発明の一実施の形態では１キャリア受信部当たり２キャリア６セクタを収容するので、ペイロード５０２に合計１２個のブロックに区別されている。ＥＣＣ５０３は、伝送誤りを受信側で検出できるようにするための誤り検出符号データである。これら同期パタン５０１、ペイロード５０２、及びＥＣＣ５０３が常時周期的に送受されており、その周期をフレーム周期としている。
【０１０６】
ＢＢＭＵＸ部２０３−１は、これらＢＢ部２０２−１〜２０２−５から出力されたベースバンド信号をセクタ単位、キャリア単位で合成する。
【０１０７】
まず、ＢＢＭＵＸ部２０３−１は、ＢＢ部２０２−１〜２０２−５から受信する下り信号のフレームの先頭を、同期パタン５０１によって認識し、その後に続くペイロード５０２を取り込み、誤検出符号データ（ＥＣＣ）５０３によって、取り込んだペイロードに含まれる下りベースバンド信号が正常かどうかを、フレーム周期毎に繰り返し判定する。判定結果が正常でない場合は、取り込んだＢＢ部２０２−２〜２０２−５からの下りベース信号を廃棄し、ディジタル送信信号に多重しない。
【０１０８】
図５の下りベースバンド信号のうち、ＢＢ部２０２−３のベースバンド信号は、伝送誤りによって誤り検出符号データが異常になったフレームが発生した場合を示し、ＢＢ部２０２−４及び２０２−５のベースバンド信号は、途中まで、もしくは途中からフレーム信号が消失する場合を示している。そして、図６は、本実施の形態の基地局装置のＢＢＭＵＸ部において合成されたベースバンド信号の一例を示す図である。
【０１０９】
例えば、時刻ｔ０からｔ１までのフレーム周期０では、ＢＢ部２０２−５のベースバンド信号の同期がとれていないので、ＢＢＭＵＸ部２０３−１は、ＢＢ部２０２−２〜２０２−４の信号を合成する。
【０１１０】
次に、時刻ｔ１からｔ２までのフレーム周期１では、ＢＢ部２０２−３のベースバンド信号に誤りが発生しているので、ＢＢＭＵＸ部２０３−１は、ＢＢ部２０２−１、ＢＢ部２０２−２、ＢＢ部２０２−４、及び２０２−５の信号を合成する。
【０１１１】
そして、時刻ｔ２からｔ３までのフレーム周期２では、ＢＢ部２０２−４のベースバンド信号に誤りが発生しているので、ＢＢＭＵＸ部２０３−１は、ＢＢ部２０２−１、ＢＢ部２０２−２、ＢＢ部２０２−３、及び２０２−５の信号を合成する。
【０１１２】
そして、時刻ｔ３からｔ４までのフレーム周期３では、ＢＢ部２０２−３のベースバンド信号に誤りが発生し、ＢＢ部２０２−４のベースバンド信号の同期がとれていないので、ＢＢＭＵＸ部２０３−１は、ＢＢ部２０２−１、ＢＢ部２０２−２、及び２０２−５の信号を合成する。
【０１１３】
これら合成されたベースバンド信号は、フレーム単位で同期検出、誤り検出されるので、合成前のベースバンド信号より１フレーム周期後に出力される。
【０１１４】
そして、合成されたベースバンド信号は、分配部４０４において、セクタ別に分離される。図７は、本実施の形態の基地局装置の分配部において分離されたベースバンド信号の一例を示す図である。図７において、横軸は時刻を示す。また、図７では、分離されたベースバンド信号と共にＢＢＭＵＸ部２０３−１の実装状態及び動作状態を示す信号も示す。
【０１１５】
図７では、冗長化されている２つのＢＢＭＵＸ部２０３−１及び２０３−２が送出するディジタル送信信号を示す。この２つのディジタル送信信号は、ペイロード部に含まれる信号が異なるのみで、図５で示したものと同じである。
【０１１６】
ＴＸ部１０７−１１が送信を担当するセクタはセクタ１であり、ＢＢＭＵＸ部２０３−１からＴＸ部１０７−１１に出力される信号は、セクタ１で送信する各キャリアの信号である。
【０１１７】
図７において、実装状態信号はＢＢＭＵＸ部の動作状態が正常と非正常の状態のあいだを遷移していることを示しており、動作状態信号はＢＢＭＵＸ部が実装されている状態から非実装の状態に遷移していることを示しており、実装状態信号の状態遷移に合わせて動作状態信号も正常から非正常に遷移することを示している。
【０１１８】
ＴＸ部１０７−１１〜１０７−６２は、二重化された組み合わせのＢＢＭＵＸ部２０３−１及び２０３−２から同時にディジタル送信信号を受信しており、その際、ＢＢＭＵＸ部２０３−１及び２０３−２の実装状態信号と動作状態信号を常時監視し、実装状態信号が「実装」で、かつ、動作状態信号が「正常」である側のＢＢＭＵＸ部からディジタル送信信号を選択して受信する。
【０１１９】
図８は、本実施の形態の基地局装置のＴＸ部の内部構成の一例を示す図である。図８において、ＴＸ部１０７−１１は、検出部８０１−１と、検出部８０１−２と、選択部８０２と、送信処理部８０３とから主に構成される。
【０１２０】
検出部８０１−１は、ＢＢＭＵＸ部２０３−１から出力された実装状態信号と動作状態信号からＢＢＭＵＸ部２０３−１が実装されていない、または正常に動作していないことを検出し、検出結果を選択部８０２に出力する。同様に、検出部８０１−２は、ＢＢＭＵＸ部２０３−２から出力された実装状態信号と動作状態信号からＢＢＭＵＸ部２０３−２が実装されていない、または正常に動作していないことを検出し、検出結果を選択部８０２に出力する。
【０１２１】
選択部８０２は、検出部８０１−１及び検出部８０１−２の検出結果に基づいて、ＢＢＭＵＸ部２０３−１またはＢＢＭＵＸ部２０３−２のうち、実装され、かつ正常に動作しているＢＢＭＵＸ部から出力されたベースバンド信号を選択して送信処理部８０３に出力する。ＢＢＭＵＸ部２０３−１またはＢＢＭＵＸ部２０３−２の両方が実装されかつ正常に動作している場合、選択部８０２は、ＢＢＭＵＸ部２０３−１から出力されたベースバンド信号を選択して送信処理部８０３に出力する。
【０１２２】
送信処理部８０３は、ベースバンド信号の周波数を無線周波数に変換してＲＦ合成部１０８−１に出力する。
【０１２３】
次に、上記ＴＸ部１０７−１１の受信選択動作について説明する。図９は、本実施の形態の基地局装置のＴＸ部が選択するベースバンド信号の一例を示す図である。図９において、横軸は時刻を示す。
【０１２４】
図７において、ｔ’１からｔ’２までのフレーム周期０では、ＢＢＭＵＸ部２０３−１及びＢＢＭＵＸ部２０３−２の両方が実装されかつ正常に動作しているので、選択部８０２は、ＢＢＭＵＸ部２０３−１から出力されたベースバンド信号を選択して送信処理部８０３に出力する。
【０１２５】
ｔ’２からｔ’３までのフレーム周期１では、ＢＢＭＵＸ部２０３−１の動作状態が非正常であり、ＢＢＭＵＸ部２０３−２が実装されかつ正常に動作しているので、選択部８０２は、ＢＢＭＵＸ部２０３−２から出力されたベースバンド信号を選択して送信処理部８０３に出力する。
【０１２６】
ｔ’３からｔ’４までのフレーム周期２もｔ’２からｔ’３までのフレーム周期１と同様に、選択部８０２は、ＢＢＭＵＸ部２０３−２から出力されたベースバンド信号を選択して送信処理部８０３に出力する。
【０１２７】
ｔ’４からｔ’５までのフレーム周期３では、ＢＢＭＵＸ部２０３−２が実装されず、ＢＢＭＵＸ部２０３−１が実装されかつ正常に動作しているので、選択部８０２は、ＢＢＭＵＸ部２０３−１から出力されたベースバンド信号を選択して送信処理部８０３に出力する。
【０１２８】
ｔ’５からｔ’６までのフレーム周期４もｔ’４からｔ’５までのフレーム周期３と同様に、選択部８０２は、ＢＢＭＵＸ部２０３−１から出力されたベースバンド信号を選択して送信処理部８０３に出力する。
【０１２９】
このように、本実施の形態の基地局装置によれば、ベースバンド信号をセクタ別に多重化してセクタ別の送信装置に伝送することにより、伝送する信号を各セクタの送信装置別に１対１で伝送することができ、各信号線の伝送量を低減することができる。そして、バスの信号数を低減し、バス形式で配線するための装置化技術を容易に実現することができる。
【０１３０】
また、このように、本実施の形態の基地局装置によれば、基地局装置の配線数を低減することができる。また、このように、本実施の形態の基地局装置によれば、多重化するベースバンド信号に誤りが発生した場合に、誤りが発生した信号を多重化しないので、誤りが発生した信号により、複数の送信装置全体の伝送ができなくなることを防ぐことができる。
【０１３１】
また、このように、本実施の形態の基地局装置によれば、同期がとれている信号のみを伝送することにより、多重化する信号の同期が外れた信号により、複数の送信装置全体の伝送ができなくなることを防ぐことができる。また、このように、本実施の形態の基地局装置によれば、ベースバンド処理を冗長な構成とすることができ、装置の構成変更及び故障時も連続して動作することができる。
【０１３２】
【発明の効果】
以上説明したように、本発明の基地局装置及び信号処理方法によれば、ベースバンド信号をセクタ別に多重化してセクタ別の送信装置に伝送することにより、伝送する信号を各セクタの送信装置別に分離してＰｏｉｎｔ  ｔｏ  Ｐｏｉｎｔで接続することにより、ベースバンド処理後の送信信号を各セクタの送信装置に伝送する伝送量を低減する基地局装置及び信号処理方法を提供することができる。
【図面の簡単な説明】
【図１】本発明の一実施の形態に係る基地局装置の構成を示すブロック図
【図２】上記実施の形態の基地局装置のキャリア受信部の内部構成を示すブロック図
【図３】上記実施の形態の基地局装置のＢＢ部の内部構成の一例を示す図
【図４】上記実施の形態の基地局装置のＢＢＭＵＸ部の内部構成の一例を示すブロック図
【図５】上記実施の形態の基地局装置のベースバンド信号の一例を示す図
【図６】上記実施の形態の基地局装置のＢＢＭＵＸ部において合成されたベースバンド信号の一例を示す図
【図７】上記実施の形態の基地局装置の分配部において分離されたベースバンド信号の一例を示す図
【図８】上記実施の形態の基地局装置のＴＸ部の内部構成の一例を示す図
【図９】上記実施の形態の基地局装置のＴＸ部が選択するベースバンド信号の一例を示す図
【図１０】従来の基地局装置の構成を示すブロック図
【符号の説明】
１０１−１１〜１０１−６２  アンテナ
１０２−１〜１０２−６  共通ＡＭＰ部
１０３−１〜１０３−６  ＲＦ分配部
１０４−１、１０４−２  キャリア受信部
１０５  ＨＷＹＩＮＴ部
１０６  ＣＮＴ部
１０７−１１〜１０７−６２  ＴＸ部
１０８−１〜１０８−６  ＲＦ合成部
２０１−１〜２０１−３  ＲＸ部
２０２−１〜２０２−ｎ  ＢＢ部
２０３−１、２０３−２  ＢＢＭＵＸ部
３０１  ＢＢ処理部
３０２  マッピング部
４０１  同期検出部
４０２  誤り検出部
４０３  合成部
４０４  分配部
８０１−１、８０１−２  検出部
８０２  選択部
８０３  送信処理部
【図１】
2004159141.tif 000003
【図２】
2004159141.tif 000004
【図３】
2004159141.tif 000005
【図４】
2004159141.tif 000006
【図５】
2004159141.tif 000007
【図６】
2004159141.tif 000008
【図７】
2004159141.tif 000009
【図８】
2004159141.tif 000010
【図９】
2004159141.tif 000011
【図１０】
2004159141.tif 000012